(57)【要約】【課題】連続する、一の電圧波形と次の電圧波形との間が変化しないようにして、正確な周波数で電流を流すことができるようにした周波治療器を提供する。【解決手段】一対の電極パッド１２、１２間に、所定の電圧波形の電流を流す本体装置部２０と、これに設けられ、周波数が異なる複数の電圧波形が記憶された波形メモリ２２と、を有し、波形メモリ２２では、電圧波形を、Ｎ種類の周波数における各周波数毎に、Ｎ種類の波形記憶領域２２−１〜２２−Ｎのいずれかに、サンプリング周波数が１９２ｋＨｚ以上、量子化ビット数が２４以上の矩形波からなる波形データとして記憶され、波形メモリ２２から１種類の周波数毎に波形データを読み出して、予め設定された時間の間に、波形データをＤ／Ａコンバータ２４でアナログ波形に変換して、電圧波形の電流を電極パッド１２、１２間に流すように構成され、波形メモリ２２は、１種類の周波数毎に、波形データが繰返し連続的に設定された時間分記憶されたことを特徴とする周波治療器１０。【選択図】図４
2018149203.tif 000002
【特許請求の範囲】
【請求項１】
患部を間にして、人体に接触可能な少なくとも一対の電極パッドと、これら対をなす電極パッド間に、規則的に反復される時間間隔で向きを逆転し、交互に正側及び負側に電圧が増減する電圧波形の電流を流すようにされた本体装置部と、この本体装置部に接続され、前記対をなす電極パッド間に印加される電圧の大小を表示する表示部、及び、前記本体装置部を操作するためのパネル操作スイッチ部を含む表示・操作スイッチ部と、を備える周波治療器であって、
前記本体装置部は、周波数が異なる複数種類の電圧波形が記憶された波形メモリと、
前記波形メモリに記憶された複数種類の電圧波形を選択的に読出して、その電圧波形を繰返し、且つ、連続的に用いて電流を前記対をなす電極パッドに流すようにされた中央制御装置と、
を有してなり、
前記波形メモリは、電圧波形を、前記複数種類の周波数における各周波数毎に、サンプリング周波数が１９２ｋＨｚ以上、量子化ビット数が２４以上の矩形波からなる波形データとして記憶していて、
前記中央制御装置は、前記波形メモリから１種類の周波数毎に前記波形データを読み出して、その１種類の周波数につき予め設定された時間の間に、前記波形データをＤ／Ａコンバータでアナログ波形に変換して、前記電圧波形の電流を前記対をなす電極パッド間に流すように構成された
ことを特徴とする周波治療器。
【請求項２】
請求項１において、
前記波形メモリは、前記波形データを記憶する複数の記憶領域を有し、前記複数の記憶領域における１つの記憶領域は、１種類の周波数毎に、波形データが繰返し連続的に前記設定された時間分記憶され、前記中央制御装置は、前記波形メモリにおける、１つの記憶領域に記憶された前記設定された時間分の波形データを１回で読み出して、アナログ波形に変換して、前記対をなす電極パッドに流すようにされた
ことを特徴とする周波治療器。
【請求項３】
請求項１において、
前記波形メモリは、前記電圧波形を記憶する複数の記憶領域を有し、前記複数の記憶領域における１つの記憶領域は、１種類の周波数毎に、波形データが繰返し連続的に前記設定時間分記憶され、前記中央制御装置は、前記波形メモリにおける、１つの記憶領域に記憶された前記設定時間分の波形データを２乃至５回で読み出して、順次、前記対をなす電極パッドに流すようにされた
ことを特徴とする周波治療器。
【請求項４】
請求項２又は３において、
前記設定時間は３分とされたことを特徴とする周波治療器。
【請求項５】
請求項１乃至４のいずれかにおいて、
前記波形メモリに記憶された波形データは、１波形期間内で、立上り転移期間中に正の領域に向かう立上り部、立上り終りのオーバーシュート形状の先鋭トップピーク部、前記先鋭トップピーク部よりも小さい値のハイレベル部を経て、立下り転移期間中に、負の領域に向かう立下り部、立下り終りのアンダーシュート形状の先鋭ボトムピーク部、前記先鋭ボトムピーク部よりも大きい値のローレベル部を経て次の立上り部に至る波形とされた
ことを特徴とする周波治療器。
【請求項６】
請求項１乃至５のいずれかにおいて、
前記中央制御装置には、２以上の異なる周波数セット選択コード及び、前記周波数セット選択コード毎にこれに対応して予めセットされた複数種類の周波数の波形データ、その波形データを読み出す場合の順番が記憶されていて、前記周波数セット選択コードが入力されたとき、対応して予めセットされた複数種類の周波数の波形データを前記予め決められている順番で順次前記設定時間分ずつ読出して、且つ、出力するように構成されたことを特徴とする周波治療器。
【請求項７】
請求項６において、
前記中央制御装置は、前記周波数セット選択コード、これに対応する周波数の種類、及び、これらの周波数の波形データの出力順を記憶しているコード別対応周波数・順番記憶手段と、
前記周波数セット選択コードを選択する周波数セット選択コード信号受付手段と、前記受付けられた周波数セット選択コード信号に基づいて、前記コード別対応周波数・順番記憶手段に記憶された順番で、前記周波数セット選択コード毎に、周波数の波形データを前記波形メモリから読出すコードグループ電圧波形読出し手段と、
前記コードグループ電圧波形読出し手段により読出した波形データを前記の順番で出力する電圧波形出力手段と、
を有することを特徴とする周波治療器。
【請求項８】
請求項７において、
前記本体装置部は、
前記中央制御装置と、
前記波形メモリと、
前記中央制御装置からの、波形データからなるデジタル出力をアナログ出力に変換するＤ／Ａコンバータと、前記Ｄ／Ａコンバータからのアナログ出力に電圧を付与して前記少なくとも一対の電極パッド間に印加される電圧波形を形成する複数の出力ドライブと、
前記出力ドライブに、直流を供給する直流電源部と、
を有し、
前記中央制御装置は、前記複数の出力ドライブの一つのみに直流を供給し、この出力ドライブによる直流の供給が終了してから、他の一つの出力ドライブに直流を供給するように構成されたことを特徴とする周波治療器。
【請求項９】
請求項８において、
周波数セット選択コード信号受付手段は、前記出力ドライブの数以下の数の異なる対応して予めセットされた複数種類の周波数の波形データ及び、その順番を受付け可能とされ、且つ、受付けた対応して予めセットされた複数種類の周波数の波形データ及び、その順番を記憶する周波数セット選択コード記憶手段を有することを特徴とする周波治療器。
【発明の詳細な説明】
【技術分野】
【０００１】
本発明は、周波治療器に関する。
【背景技術】
【０００２】
特許文献１に示されるように、患部を間にして、人体に接触可能な一対の電極パッドと、これら一対の電極パッド間に、規則的に反復される時間間隔で向きを逆転し、交互に正側及び負側に電圧が増減する電圧波形の電流を流すようにされた制御部とを備えた周波治療器が開示されている。
【０００３】
又、この種の周波治療器において、周波数が異なる複数の電圧波形の電流を順次患部に印加することも知られている。この場合、各電圧波形を一種類毎に同一波形を繰返して用いて、一定時間ずつ電流を印加するようにされている。
【０００４】
従来の周波治療器においては、１周波ごとに、その都度電圧波形を形成したり、波形メモリに格納された波形データを読出し、そのデータをＤ／Ａコンバータでアナログ波形に変換して所定の波形を出力するようにされている。
【０００５】
この場合、電圧波形あるいは波形データは、ＰＷＭで生成したデジタル波形であり、アナログ波形をそのまま用いる場合と比較して、立上り部及び立下り部のスパイク状部分は、デジタル波形ではその電子化ビット数及びサンプリング周波数に依存するが、特に波長が短くなったとき、該スパイク部が消えてしまうという状態が生じた。
【０００６】
スパイク部は、従来ノイズとされていたので、その限りでは問題がないが、最近、周波治療器において、電圧がより高い場合に、人体に与える衝撃が大きくなり、この衝撃が大きい程、例えば、疼痛緩和効果が大きいとされるようになっている。
【０００７】
又、一般的に、上記のような立上り時のスパイク及び立下り時のスパイクをデジタル波形で再生しようとすると、取扱う信号が大きくなり、素子も大きくしなければならないという問題点が生じる。
【０００８】
又、上記のような、周波数が異なる複数の電圧波形の電流を順次患部に印加する場合は、一定種類の周波数の電流を最初の患部に印加し、次に、電極パッドを人体の他の個所に貼り替えて、異なる組合せの複数の電圧波形の電流を印加することがなされているが、この場合、患者は自分自身で貼り替えることが出来ない場合があり、看護師や介護者に、その都度依頼せざるを得ず、看護師らの負担が大きくなってしまうという問題点がある。
【先行技術文献】
【特許文献】
【０００９】
【特許文献１】米国特許第５６５８３２２号公報
【発明の概要】
【発明が解決しようとする課題】
【００１０】
本発明は、立上り及び立下りの急峻なスパイク状の波形を確実に再生できるようにデジタル波形を用いて記録し、これにより、従来無視されていた部分を確実に再生することができるようにした周波治療器を提供することを課題とする。
【００１１】
また、本発明は、予め２対以上の電極パッドを人体の異なる箇所に貼っておき、最初の一対の電極パッドから最初の電圧波形の組合せを通電し、これが終わった後、次の異なる箇所に貼られた電極パッドを通して、異なる電圧波形の組合せを、途中で電極パッドを貼り替えたりすることなく通電することができるようにした周波治療器を提供することを課題とする。
【課題を解決するための手段】
【００１２】
本発明は、患部を間にして、人体に接触可能な少なくとも一対の電極パッドと、これら対をなす電極パッド間に、規則的に反復される時間間隔で向きを逆転し、交互に正側及び負側に電圧が増減する電圧波形の電流を流すようにされた本体装置部と、この本体装置部に接続され、前記対をなす電極パッド間に印加される電圧の大小を表示する表示部、及び、前記本体装置部を操作するためのパネル操作スイッチ部を含む表示・操作スイッチ部と、を備える周波治療器であって、前記本体装置部は、周波数が異なる複数種類の電圧波形が記憶された波形メモリと、前記波形メモリに記憶された複数種類の電圧波形を選択的に読出して、その電圧波形を繰返し、且つ、連続的に用いて電流を前記対をなす電極パッドに流すようにされた中央制御装置と、を有してなり、前記波形メモリは、電圧波形を、前記複数種類の周波数における各周波数毎に、サンプリング周波数が１９２ｋＨｚ以上、量子化ビット数が２４以上の矩形波からなる波形データとして記憶していて、前記中央制御装置は、前記波形メモリから１種類の周波数毎に前記波形データを読み出して、その１種類の周波数につき予め設定された時間の間に、前記波形データをＤ／Ａコンバータでアナログ波形に変換して、前記電圧波形の電流を前記対をなす電極パッド間に流すように構成されたことを特徴とする周波治療器により、上記課題を解決するものである。
【００１３】
ここで、「周波」は、１〜１０００Ｈｚとされる低周波、１０００〜１００００Ｈｚとされる中周波、及び、１００００Ｈｚ以上とされるが、定義が明確でない高周波を含むとされるが、本発明に係る周波治療器では、１Ｈｚから人体に影響を与えるとされる３００００Ｈｚまでの高周波を含むものとする。
【発明の効果】
【００１４】
本発明に係る周波治療器においては、同一の周波数で連続的に、電極パッド間に印加される電圧波形における立上り時のスパイク及び立下り時のスパイクを正確に再生でき、また、１周波の波形と次の１周波の波形との間隔に変化が発生することなく、正確に所定の周波数を維持することができるという効果を有する。
【図面の簡単な説明】
【００１５】
【図１】本発明の実施例に係る周波治療器を示すブロック図
【図２】同周波治療器の外観を示す斜視図
【図３】同周波治療器の中央制御装置と波形メモリの構成の概略を示すブロック図
【図４】同波形メモリに記憶された電圧波形の例を示す線図
【図５】同波形メモリに記憶された電圧波形におけるサンプリング周波数と量子化ビット数との関係を示す線図
【図６】同周波治療器による治療の過程を示すフローチャート
【図７】波形メモリに１分間分ずつ分割して電圧波形を記憶した状態を示す図４と同様のブロック図
【発明を実施するための形態】
【００１６】
以下、本発明の実施例について図面を参照して詳細に説明する。
【００１７】
図１に示されるように、本発明の実施例に係る周波治療器１０は、患部を間にして人体に接触可能な２対の電極パッド１２、１２及び１４、１４と、これら対をなす電極パッド１２、１２間及び／又は電極パッド１４、１４間（以下「電極パッド１２、１２間」と省略して示す）に規則的に反復される時間間隔で向きを逆転し、交互に正側及び負側に電圧が増減する電圧波形の電流を流すようにされた本体装置部２０と、この本体装置部２０に接続され、前記電極パッド１２、１２間に印加される電圧の大小を表示する表示部１６Ａ、前記本体装置部２０を操作するためのパネル操作スイッチ部１６Ｂ、表示部１６Ａを制御するための表示制御タッチパネル１６Ｃ、ＩＲリモコン受信部１６Ｄ及び電源スイッチ１７Ｄを含む表示・操作スイッチ部１６と、前記ＩＲリモコン受信部１６Ｄに対して操作信号を送信するためのＩＲリモコン送信器１８と、ＡＣ１００Ｖの入力を整流して、本体装置部２０に出力するためのスイッチング電源アダプタ２８と、を備えて構成されている。
【００１８】
本体装置部２０は、周波数が異なる複数の電圧波形が記憶された波形メモリ２２と、この波形メモリ２２に記憶された複数種類の電圧波形を順次読み出して、その電圧波形の電流を、対をなす電極パッド１２、１２間に流すようにされた中央制御装置（以下ＣＰＵ）４０と、を備えている。
【００１９】
波形メモリ２２は、電圧波形を、複数種類の周波数における各周波数毎に、サンプリング周波数が１９２ｋＨｚ以上、量子化ビット数が２４以上で形成された波形データとして記憶している（詳細後述）。
【００２０】
ＣＰＵ４０は、波形メモリ２２から１種類の周波数毎に波形データを読み出して、その１種類の周波数につき予め設定された時間の間、波形データをＤ／Ａコンバータ２４に出力することにより、ここでアナログ波形に変換して、電圧波形の電流を電極パッド１２、１２間に流すように構成されている。
【００２１】
本体装置部２０は、前記の波形メモリ２２及びＤ／Ａコンバータ２４の他に、一対の出力ドライブ２６Ａ、２６Ｂを含む出力ドライブセット２６、ＤＣ／ＤＣコンバータ３０、レギュレータ３２、告知音出力系３６、マイナス電圧制御部３８を備えている。
【００２２】
Ｄ／Ａコンバータ２４は、ＣＰＵ４０が波形メモリ２２から、サンプリング周波数が１９２ｋＨｚ以上、量子化ビット数が２４以上で読み出した波形データをＤ／Ａ変換して、アナログ波形で出力ドライブ２６Ａ、２６Ｂに出力するようにされている。
【００２３】
出力ドライブ２６Ａ、２６Ｂは、ＤＣ／ＤＣコンバータ３０からの出力を、前記のアナログ波形に基づいて変化させて、電極パッド１２、１２及び１４、１４に各々出力するようにされている。
【００２４】
ＣＰＵ４０は、表示制御タッチパネル１６Ｃ及びパネル操作スイッチ部１６Ｂからの出力ドライブ２６Ａ、２６Ｂが同時に作動されるモード、一方の作動終了後に他方が続けて作動されるモード、あるいは他方が続けて設定回数だけ繰り返して同一コードで作動されるモードとなる指令信号を出力ドライブ２６Ａ、２６Ｂに出力できるようにされている。
【００２５】
ＤＣ／ＤＣコンバータ３０は、スイッチング電源アダプタ２８からの直流出力を所定の電圧に降圧するものであり、また、レギュレータ３２は、スイッチング電源アダプタ２８からの出力電圧及び電流が異常に増大する時に、直流出力をＯＦＦとするものである。
【００２６】
プログラムメモリ３４には、ＣＰＵ４０を動作させるためのプログラムが内蔵されている。告知音出力系３６は、治療が終了したときその他の、患者に知らせるべき状態が発生した時に、例えば、「終了しました」、「一時中断します」等の告知内容が音声によってスピーカー３６Ｃから知らされるように構成されている。
【００２７】
この音声情報は、波形メモリ２２の余り記憶領域２２−Ａに設定されていて、告知すべき状態になったとき、ＣＰＵ４０からの指示信号に基づいて、波形メモリ２２から、告知音出力系３６におけるＤ／Ａコンバータ３６Ａに送られ、ここで、アナログ信号に変換された後、アンプ３６Ｂにより増幅され、スピーカー３６Ｃで音声として出力されるものである。
【００２８】
マイナス電圧制御部３８は、後述のように電圧波形における０ボルトレベルを、波形図における中間位置から、最大電圧の５％−１０％をプラス側にオフセットさせることにより、電極パッド１２、１２から人体に入り込む電子の量が、体外に流出する電子の量よりも多くなるようにして、電子不足による人体への影響を抑制するものである。ここで、５％以上としたのは、電源電圧の変動があっても、人体の電子不足を抑制でき、１０％以下としたのは、電子過剰を抑制するためである。
【００２９】
表示・操作スイッチ部１６における表示部１６Ａは、図２に示されるように、コード番号表示部１７Ａ、強度表示部１７Ｂ、及び、治療の残時間表示部１７Ｃを含んで構成されている。なお、ＩＲリモコン受信部１６Ｄは、表示部１６Ａの領域内に配置されている。
【００３０】
パネル操作スイッチ部１６Ｂには、スイッチング電源アダプタ２８へのＡＣ１００Ｖの電流のオンオフをするための電源スイッチ１７Ｄ、及び、治療開始のためのスタートスイッチ１７Ｅが配置され、また、表示制御タッチパネル１６Ｃには、出力ドライブ２６からの出力強度を増減する強弱ボタン１７Ｆとコード番号を設定するコード設定ボタン１７Ｇと、出力チャネル選択ボタン１７Ｈとが配置されている。
【００３１】
ＩＲリモコン送信器１８は、スタートスイッチ１７Ｅと同様のリモコンスタートボタン１８Ｅと、強弱ボタン１７Ｆと同様の強弱リモコンボタン１８Ｆとを備えている。
【００３２】
図２の符号１２Ａ、１４Ａは、電極パッド１２、１４のプラグ１２Ｂ、１４Ｂを差し込むためのジャックをそれぞれ示す。ジャック１２Ａ、１４Ａは第１及び第２出力チャネルを構成している。また、出力チャネル選択ボタン１７Ｈは、周波セット選択コードを入力するときの、入力中の出力チャネルを選択するものである。
【００３３】
次に、ＣＰＵ４０の構成及び波形メモリ２２について説明する。
【００３４】
ＣＰＵ４０は、図３に示されるように、表示信号出力手段４１と、操作スイッチ信号受付手段４２と、出力チャネル選択信号受付手段４３と、周波数セット選択コード信号受付手段４４と、操作信号受付手段４５と、コード表示信号出力手段４６と、コードグループ電圧波形読出し手段４７と、電圧波形出力手段４８と、ＤＣ／ＤＣコンバータ駆動手段４９と、電源ＯＮ／ＯＦＦ手段５０と、マイナス電圧制御手段５１と、操作スイッチ信号記憶手段５２と、操作信号記憶手段５３と、出力チャネル選択信号記憶手段５４と、読出し電圧波形記憶手段５５と、コード別対応周波数順番記憶手段５６と、周波数セット選択コード信号記憶手段５７と、出力中周波数記憶手段５８と、を備えて構成されている。
【００３５】
表示信号出力手段４１は、表示制御タッチパネル１６Ｃにおける強弱ボタン１７Ｆ及びコード設定ボタン１７Ｇにより操作された出力強度及びコード番号を表示部１６Ａの強度表示部１７Ｂ、コード番号表示部１７Ａに表示させるものである。出力チャネル選択ボタン１７Ｈは、それ自体がタッチパネルとされていて、タッチ毎に「１」から「２」、「２」から「１」を交互に表示するようにされている。
【００３６】
操作スイッチ信号受付手段４２は、表示・操作スイッチ部１６の表示制御タッチパネル１６Ｃからの操作信号を受付けるように構成されている。又、この受付けられた信号は、操作スイッチ信号記憶手段５２に記憶されるようになっている。
【００３７】
操作信号受付手段４５は、表示制御タッチパネル１６Ｃ及びＩＲリモコン送信器１８から送信された操作信号を受付けるものであり、受付けられた操作信号、具体的には出力強度信号及び後述のコード番号信号は、操作信号記憶手段５３に記憶されるようになっている。
【００３８】
出力チャネル選択信号受付手段４３は、出力チャネル選択ボタン１７Ｈの操作によって決定される出力チャネル選択信号を受付け、且つ、この信号は、出力チャネル選択信号記憶手段５４に記憶されるようになっている。
【００３９】
コード表示信号出力手段４６は、操作スイッチ信号記憶手段５２に記憶された表示信号に基づいて、表示部１６Ａに入力されたコード番号を表示するように構成されている。
【００４０】
ここで、コード別対応周波数順番記憶手段５６には、コードに対応して、コード毎に、該コードに含まれるとして、予め決められている複数の周波数及びその出力順が記憶されている。例えば表１に示されるように、周波数セット選択コードと第１〜第ｎ周波数（ｎは２以上の自然数）が組合せて記憶されている。具体的には、コード番号１２３１については、２０Ｈｚ、８８０Ｈｚ、５ｋＨｚ、・・・、１０ｋＨｚが、この順で記憶されている。
【００４１】
【表１】
2018149203.tif 000003
【００４２】
コードグループ電圧波形読出し手段４７は、入力されたコード信号及びコード別対応周波数順番記憶手段５６に記憶された情報に基づいて、該コードに含まれる複数の周波数の電圧波形を、波形メモリ２２から順に読み出すように構成されている。
【００４３】
電圧波形出力手段４８は、コードグループ電圧波形読出し手段４７によって読み出された周波数の電圧波形のデータを、Ｄ／Ａコンバータ２４に出力するようにされている。
【００４４】
ＤＣ／ＤＣコンバータ駆動手段４９は、強弱ボタン１７Ｆにより操作された出力強度に従ってＤＣ／ＤＣコンバータ３０を駆動するように構成されている。
【００４５】
又、電源ＯＮ／ＯＦＦ手段５０は、電源スイッチ１７Ｄの操作に従って、スイッチング電源アダプタ２８へのＡＣ１００Ｖの入力をＯＮ／ＯＦＦするようにされている。
【００４６】
出力中周波数記憶手段５８は、電圧波形出力手段４８から現在出力されている波形データにおける周波数を記憶するようにされている。
【００４７】
又、操作スイッチ信号受付手段４２は、周波治療器１０による治療中に、ＩＲリモコン送信器１８のリモコンスタートボタン１８Ｅの操作により、治療を中断する中断信号が入力された時、レギュレータ３２により、ＤＣ／ＤＣコンバータ３０をＯＦＦとして、出力ドライブセット２６からの電流供給を中断するように構成されている。
【００４８】
又、この時、コードグループ電圧波形読出し手段４７は、出力中周波数記憶手段５８に記憶された、中断時の周波数情報を読み出して、中断から治療に戻った時に、該周波数の電圧波形を読み出すように構成されている。
【００４９】
波形メモリ２２には、Ｎ（Ｎは２以上の自然数）個の波形記憶領域２２−１〜２２−Ｎが設けられていて、且つ、この実施例における周波治療器１０で用いる治療周波数はＮ種類であり、このＮ種類の周波数の電圧波形は１種類毎に波形記憶領域２２−１〜２２−Ｎのいずれかに記憶されている。
【００５０】
図４に、波形メモリ２２の各波形記憶領域における電圧波形の記録状態の例を示す。図４は、例えばコード番号１２３１の場合の、これに属する２０Ｈｚ、８８０Ｈｚ、５ｋＨｚ、及び、１０ｋＨｚの４種類の周波数それぞれの電圧波形の状態を模式的に示している。
【００５１】
波形メモリ２２の各波形記憶領域２２−１〜２２−Ｎの一つ一つには、同一の周波数で、且つ同一波形の電圧波形が、連続的に、且つ繰り返し、３分間分ずつ記憶されている。例えば、周波数が２０Ｈｚの場合は、３（分）×６０（秒）×２０＝３６００個の同一の電圧波形が繰返し記憶されている。各電圧波形間の距離は一定とされ、隣接する波形との重なり合いや、離間が存在しないようにされている。
【００５２】
又、各電圧波形は、基本的には、図５に示されるような状態であって、量子化ビット数２４、サンプリング周波数１９２ｋＨｚで示され、サンプリング周波数の逆数の時間に分割されたデジタル信号によって構成されている。例えば、周波数が２０Ｈｚの場合は、その逆数の１／２０秒間分の波形が、１９２ｋＨｚ／２０Ｈｚ＝９６００個のパルスによって構成される。
【００５３】
図５に拡大して示されるように、波形メモリ２２の各波形記憶領域に記憶された波形データは、１波形期間内で、立上り転移期間中に正の領域に向かう立上り部Ｕｐ、立上り終りのオーバーシュート形状の先鋭トップピーク部Ｔｐ、先鋭トップピーク部Ｔｐよりも小さい値のハイレベル部ＨＬを経て、立下り転移期間中に、負の領域に向かう立下り部Ｄｗ、立下り終りのアンダーシュート形状の先鋭ボトムピーク部Ｂｐ、先鋭ボトムピーク部Ｂｐよりも大きい値のローレベル部ＬＬを経て次の立上り部Ｕｐに至る波形Ｄｆとされている。
【００５４】
先鋭トップピーク部Ｔｐと先鋭ボトムピーク部Ｂｐのそれぞれの部分の先端間の高さは、最大電圧を示し、その最大電圧は、量子化ビット数２４の最大値で表せるようにされている。
【００５５】
又、ＣＰＵ４０は、表示制御タッチパネル１６Ｃから、出力チャネル選択ボタン１７Ｈの切換えにより２つの異なる周波数セット選択コードが、周波数セット選択コード信号受付手段４４を介して入力可能とされ、且つ、周波数セット選択コードは、周波数セット選択コード信号記憶手段５７に記憶されるように構成されている。入力された周波数セット選択コードに対応して予めセットされた複数種類の周波数の波形データが、その波形データを記憶する波形メモリ２２の波形記憶領域から予め決められている順番で順次設定時間分ずつ読出して、且つ、出力するように構成されている。
【００５６】
更に、ＣＰＵ４０は、周波数セット選択コード、これに対応する周波数の種類、及び、これらの周波数の波形データの出力順を記憶しているコード別対応周波数順番記憶手段５６と、このコード別対応周波数順番記憶手段５６に記憶された順番で、周波数の波形データを、波形メモリ２２から読み出すコードグループ電圧波形読出し手段４７と、電圧波形読出し手段４６により読み出した波形データを前記の順番で出力する電圧波形出力手段４８とを備えて構成されている。
【００５７】
出力ドライブセット２６は、この実施例においては２個設けられ、ＣＰＵ４０は、出力チャネル選択ボタン１７Ｈによって出力チャネルを選択し、第１出力チャネルと第２出力チャネルの各々について、コード設定ボタン１７Ｇにより、異なるコードを設定し、２つの出力ドライブ２６Ａ、２６Ｂのうちの、例えば最初に出力ドライブ２６Ａにのみ直流を供給し、この出力ドライブ２６Ａによる直流の供給が終了してから、他の出力ドライブ２６Ｂに直流を供給することができるように構成されている。
【００５８】
次に、図６を参照して、上記実施例に係る周波治療器１０により、治療する過程について説明する。
【００５９】
まずステップＳ１０１において電源スイッチ１７ＤをＯＮすると、次のステップＳ１０２において、表示・操作スイッチ部１６がＯＮされ、表示部１６Ａにおけるコード番号表示部１７Ａが、治療コード設定可能な状態となる。
【００６０】
ステップＳ１０３では、出力チャネル選択ボタン１７Ｈを操作して出力ドライブ２６Ａ、２６Ｂを順次選択してから、その選択コード毎にコード設定ボタン１７Ｇにより表示制御タッチパネル１６Ｃに４桁の治療コードを設定する（出力ドライブ２６Ａのみについて、治療コードを設定してもよい）。
【００６１】
これによって、コードグループ電圧波形読出し手段４７が作動され、コード別対応周波数順番記憶手段５６からの信号に基づいて、波形メモリ２２における波形記憶領域２２−１〜２２−Ｎのいずれかから１つずつの周波数の波形を、第１、第２、・・・第ｎ周波数の電圧波形としてそのデータを、記憶された順番に基づいて読み出すことが可能な状態となる。
【００６２】
次のステップＳ１０４では、第１周波数の電圧波形が選択され、波形メモリ２２における、例えば波形記憶領域２２−２に記憶された電圧波形が読み出される。この波形記憶領域２２−２には、連続して３分間分の電圧波形が記憶されているので、次のステップＳ１０５において、スタートスイッチ１７ＥをＯＮすることによって、ステップＳ１０６において、第１周波数電圧波形にて、出力ドライブ２６Ａからアナログ出力が発生する。
【００６３】
パルスが発生してから直ちに、次のステップＳ１０７において、表示部１６Ａにおける強度表示部１７Ｂに示される出力強度を、表示制御タッチパネル１６Ｃの強弱ボタン１７Ｆの操作によって例えば、患者に接触した電極パッドの部分で痛みが発生しない程度に出力強度を調整する。
【００６４】
第１周波数の電圧波形に対応するアナログ出力は３分間続くが、途中で、何らかの具合により、治療を中断する場合は、ＩＲリモコン送信器１８により、スタートスイッチ１７Ｅを作動させると、これが中断スイッチとなり、ステップＳ１０８においてＹｅｓが選択され、ステップＳ１１０においてアナログ出力ゼロに戻される。同時にスピーカー３６Ｃから「一時中断します」の告知音声が出力される。
【００６５】
又、その３分間の間に、中断スイッチがＯＮされない場合は、ステップＳ１０８においてＮｏとなり、ステップＳ１０９に至り、アナログ出力発生時間３分後に出力ゼロに戻る。
【００６６】
一方、中断スイッチＯＮにより出力ゼロに戻された後、スタートスイッチ１７ＥをＩＲリモコン送信器１８により作動させると、これが再スタートスイッチＯＮとなり、ステップＳ１１１におけるＹｅｓが選択され、ステップＳ１０６に戻る。Ｎｏであれば、ステップＳ１１１に戻る。
【００６７】
次のステップＳ１１２においては、選択された第２周波数電圧波形にて、アナログ出力が発生する。
【００６８】
第１周波数電圧波形の場合と同様に、ステップＳ１１３において出力強度を調節し、ステップＳ１１４において中断スイッチＯＮか否かを判定し、Ｙｅｓであれば、ステップＳ１１６に進み、出力ゼロに戻り、更に、ステップＳ１１７においてＹｅｓであればステップＳ１１２に戻る。又、ステップＳ１１７においてＮｏであれば、ステップＳ１１７に戻る。
【００６９】
ステップＳ１１４において中断スイッチＯＮがＮｏであれば、ステップＳ１１５に進み、第２周波数電圧波形によりアナログ出力発生から３分後に出力ゼロに戻る。次のステップＳ１１８では、以後第３〜第ｎ周波数につき、上記ステップＳ１０６からステップＳ１１１を繰返して、第ｎ周波数について３分間のアナログ出力発生後、ステップＳ１１９に進む。
【００７０】
ステップＳ１１９では、次の治療コードが設定されているか否かが判定され、ＮｏであればステップＳ１２０に進み、終了ランプブザーＯＮ、即ち、告知音出力系３６におけるスピーカー３６Ｃから治療が終了したことが、患者に知らされて、患者又は補助者が、電源スイッチ１７ＤをＯＦＦとすることによって、ステップＳ１２１において終了する。
【００７１】
出力チャネル選択ボタン１７Ｈにより、出力ドライブ２６Ｂについて、他の治療コードの出力が設定されている場合は、ステップＳ１１９での判定結果がＹｅｓとなり、ステップＳ１２２に進み、終了ランプブザーはＯＮとならず、該他の治療コードについて、上記ステップＳ１０４からＳ１１９が繰返され、その終了後にステップＳ１２０、Ｓ１２１が実行される。
【００７２】
なお、上記実施例において、波形メモリ２２における各波形記憶領域２２−１〜２２−Ｎには３分間連続して電圧波形が記憶されているが、本発明はこれに限定されるものでなく、波形メモリ２２の電圧波形記憶容量が充分でない場合等には、設定時間（実施例では３分間）を２等分あるいは３等分した時間分だけ電圧波形を記憶しておき、１回の設定時間で、２回あるいは３回電圧波形を読み出して用いるようにしてもよい。図７は３分間を３等分して、１分間ずつの３回電圧波形を読み出すようにしている場合を示す。
【００７３】
また、上記実施例において、サンプリング周波数は１９２ｋＨｚ、量子化ビット数が２４ビットとされているが、これは波形メモリにいわゆる音源チップを用いていて、その上限が１９２ｋＨｚ、２４ビットであり、更に、１９２ｋＨｚ及び２４ビットを越える場合にも、本発明は適用されるものである。
【符号の説明】
【００７４】
１０…周波治療器
１２、１４…電極パッド
１２Ａ…ジャック（第１出力チャネル）
１４Ａ…ジャック（第２出力チャネル）
１６…表示・操作スイッチ部
１６Ａ…表示部
１６Ｂ…パネル操作スイッチ部
１６Ｃ…表示制御タッチパネル
１６Ｄ…ＩＲリモコン受信部
１７Ａ…コード番号表示部
１７Ｂ…強度表示部
１７Ｃ…残時間表示部
１７Ｄ…電源スイッチ
１７Ｅ…スタートスイッチ
１７Ｆ…強弱ボタン
１７Ｇ…コード設定ボタン
１７Ｈ…出力チャネル選択ボタン
１８…ＩＲリモコン送信器
１８Ｅ…リモコンスタートボタン
１８Ｆ…強弱リモコンボタン
２０…本体装置部
２２…波形メモリ
２２−１〜２２−Ｎ…波形記憶領域
２２−Ａ…余り記憶領域
２４…Ｄ／Ａコンバータ
２６…出力ドライブセット
２６Ａ、２６Ｂ…出力ドライブ
２８…スイッチング電源アダプタ
３０…ＤＣ／ＤＣコンバータ
３２…レギュレータ
３４…プログラムメモリ
３６…告知音出力系
３６Ａ…Ｄ／Ａコンバータ
３６Ｂ…アンプ
３６Ｃ…スピーカー
３８…マイナス電圧制御部
４０…中央制御装置（ＣＰＵ）
４１…表示信号出力手段
４２…操作スイッチ信号受付手段
４３…出力チャネル選択信号受付手段
４４…周波数セット選択コード信号受付手段
４５…操作信号受付手段
４６…コード表示信号出力手段
４７…コードグループ電圧波形読出し手段
４８…電圧波形出力手段
４９…ＤＣ／ＤＣコンバータ駆動手段
５０…電源ＯＮ／ＯＦＦ手段
５１…マイナス電圧制御手段
５２…操作スイッチ信号記憶手段
５３…操作信号記憶手段
５４…出力チャネル選択信号記憶手段
５５…読出し電圧波形記憶手段
５６…コード別対応周波数順番記憶手段
５７…周波数セット選択コード信号記憶手段
５８…出力中周波数記憶手段
【図１】
2018149203.tif 000004
【図２】
2018149203.tif 000005
【図３】
2018149203.tif 000006
【図４】
2018149203.tif 000007
【図５】
2018149203.tif 000008
【図６】
2018149203.tif 000009
【図７】
2018149203.tif 000010